(57)【要約】【課題】  樹脂材料からなる部材を有するサッシに対して、断熱性能を維持しながら、防火性能を付与する。【解決手段】  下框の戸車間に補強部材が配置されており、補強部材は、上方の見込壁と、下方の見込壁と、上方の見込壁と下方の見込壁を連絡する室外側見付壁を有する断面略Ｕ字状をなし、上方の見込壁と下方の見込壁と室外側見付壁によって形成される領域内に熱膨張耐火材を有しており、下方の見込壁は、上方の見込壁よりも見込幅寸法が小さく下レールに対して対向している。【選択図】図６
2020125593.tif 000002
【特許請求の範囲】
【請求項１】
下框の戸車間に補強部材が配置されており、
補強部材は、上方の見込壁と、下方の見込壁と、上方の見込壁と下方の見込壁を連絡する室外側見付壁を有する断面略Ｕ字状をなし、上方の見込壁と下方の見込壁と室外側見付壁によって形成される領域内に熱膨張耐火材を有しており、
下方の見込壁は、上方の見込壁よりも見込幅寸法が小さく下レールに対して対向している建具。
【請求項２】
下框の戸車間に補強部材が配置されており、
補強部材は、上方の見込壁と、下方の見込壁と、上方の見込壁と下方の見込壁を連絡する室外側見付壁を有する断面略Ｕ字状であって、下方の見込壁が下レールに対向しており、
下框の長手方向にわたって、補強部材の下方の見込壁よりも下方位置に熱膨張耐火材を有している建具。
【発明の詳細な説明】
【技術分野】
【０００１】
建築物等の開口部に配置されるサッシに関する。
【背景技術】
【０００２】
従来、建築物の開口部に配置されるサッシとして、高い断熱性を有する樹脂枠及び樹脂框を備えるサッシが知られている。
【先行技術文献】
【特許文献】
【０００３】
【特許文献１】特開２０１６−１０８９０９号公報
【発明の概要】
【発明が解決しようとする課題】
【０００４】
特許文献１に示す樹脂サッシにおいては、樹脂材料の特徴を生かして高い断熱性を有することができるが、火炎や熱には弱いという一面があった。
しかし、近年、樹脂材料からなる部位を備える断熱サッシにおいても、高い防火性能が求められるようになっている。
【０００５】
本発明は、上記の事情を鑑みたものであり、断熱性能とともに高い防火性能を備えるサッシを提供することを目的とする。
【課題を解決するための手段】
【０００６】
本発明の一実施形態は、下框の戸車間に補強部材が配置されており、補強部材は、上方の見込壁と、下方の見込壁と、上方の見込壁と下方の見込壁を連絡する室外側見付壁を有する断面略Ｕ字状をなし、上方の見込壁と下方の見込壁と室外側見付壁によって形成される領域内に熱膨張耐火材を有しており、下方の見込壁は、上方の見込壁よりも見込幅寸法が小さく下レールに対して対向している建具である。
【発明の効果】
【０００７】
本実施形態によれば、樹脂材料からなる部材を有するサッシに対して、断熱性能を維持しながら、防火性能を付与することができる。
【図面の簡単な説明】
【０００８】
【図１】一実施形態に係るサッシの外観図である。
【図２】一実施形態に係るサッシの取付状態における竪断面図である。
【図３】一実施形態に係るサッシの取付状態における横断面図である。
【図４】一実施形態に係るサッシの竪断面図である。
【図５】一実施形態に係るサッシの横断面図である。
【図６】一実施形態に係るサッシの下框の拡大図である。
【図７】一実施形態に係るサッシの下框の火災時の拡大図である。
【図８】他の実施形態に係るサッシの下框の拡大図である。
【図９】他の実施形態に係るサッシの下框の火災時の拡大図である。
【図１０】（ａ）は、他の実施形態に係るサッシの下框の拡大正面図であり、（ｂ）は、他の実施形態に係るサッシの下框の火災時の拡大正面図である。
【発明を実施するための形態】
【０００９】
本発明の一実施形態に係るサッシについて、図面を参考にして説明する。
本実施形態のサッシは、建物開口部に配置されている窓装置の室内側に配置される内窓Ａとして構成されており、図１に示すように、枠体１０と、枠体１０に対して摺動自在に配置される内障子２０及び外障子３０を備えている。
【００１０】
枠体１０は、上枠１１，下枠１２及び左、右竪枠１３，１４を有しており、各枠材は枠組されることなく、上枠１１，下枠１２及び左、右竪枠１３，１４がそれぞれ建物開口部の内周面にビス等の固定手段によって固定されることで建物開口部の四周に亘る枠体１０が形成されている。
【００１１】
内障子２０は、上框２１、下框２２、左竪框（召合框）２３及び右竪框（戸先框）２４を四周に組んで、その内周にパネル体２５を取り付けて形成されており、外障子３０は、上框３１、下框３２、左竪框（戸先框）３３及び右竪框（召合框）３４を四周に組んで、その内周にパネル体３５を取り付けて形成されている。
【００１２】
そして、本実施形態の内窓Ａは、図２，３に示すように、予め建物開口部に配置されている建具Ｂの室内側に配置されること、例えば額部Ｃの内周に固定されることによって、二重サッシを構成し、建物開口部における断熱性能を高めることができる。なお、建物開口部に配置されている建具Ｂは、どのような建具であっても良く、ここではその説明を省略する。
【００１３】
（枠体の構成）
枠体１０の上枠１１は、図４に示すように、樹脂材料からなる略平板状の上枠本体１１１と、アルミ合金等の金属材料からなる上レール部材１１２を有している。そして、上レール部材１１２が上枠本体１１１の内周面(下面)に配置された状態で、上枠本体１１１と上レール部材１１２はビス等の固定手段ｂにより、建物開口部の額部Ｃの内周面（下面）に固定されている。
【００１４】
上枠本体１１１は、額部Ｃに固定される上枠本体部１１１ａと、上枠本体部１１１ａの室内側端から垂下する室内側壁部１１１ｂを有している。
【００１５】
上レール部材１１２は、上枠本体１１１と共に額部Ｃに固定される上レール固定部１１２ａと、上レール固定部１１２ａの室内側より下方に垂設される上内レール１１２ｂと、上レール固定部１１２ａの室外側より下方に垂設される上外レール１１２ｃを有している。
上枠１１の上内レール１１２ｂと上外レール１１２ｃとの間であって、内障子２０及び外障子３０の召合框２３，３４の上方位置にはヒレ状の風止め部を有する風止め部材７１が配置されている。
【００１６】
枠体１０の下枠１２は、図４に示すように、樹脂材料からなる略平板状の下枠本体１２１と、アルミ合金等の金属材料からなる下レール部材１２２を有している。そして、下レール部材１２２が下枠本体１２１の内周面（上面）に配置された状態で、下枠本体１２１と下レール部材１２２はビス等の固定手段ｂにより、建物開口部の額部Ｃの内周面（上面）に固定されている。
【００１７】
下枠本体１２１は、建物開口部に固定される下枠本体部１２１ａと、下枠本体部１２１ａの室内側端から上方に立設する室内側壁部１２１ｂを有している。
【００１８】
下レール部材１２２は、下枠本体１２１と共に額部Ｃに固定される下レール固定部１２２ａと、下レール固定部１２２ａの室内側より上方に立設する下内レール１２２ｂと、下レール固定部１２２ａの室外側より上方に立設する下外レール１２２ｃを有している。
下枠１２の下内レール１２２ｂと下外レール１２２ｃとの間であって、内障子２０及び外障子３０の召合框２３，３４の下方位置にはヒレ状の風止め部を有する風止め部材７２が配置されている。
【００１９】
枠体１０の左、右竪枠１３，１４は、樹脂材料からなり、図５に示すように、略平板状に形成されており、ビス等の固定手段ｂ，ｂにより、建物開口部の額部Ｃの内周面に固定されている。
本実施形態の左、右竪枠１３，１４は、上、下枠１１，１２と同様に樹脂材料によって形成してもよいが、アルミ合金等の押出形材の表面を合成樹脂等の断熱材料によってコーティングして形成してもよい。
【００２０】
左、右竪枠１３，１４は、建物開口部に固定される左、右竪枠本体部１３１ａ，１４１ａと、左、右竪枠本体部１３１ａ，１４１ａの見込み方向略中央位置から内周方向に突設される中央壁部１３１ｂ，１４１ｂと、左、右竪枠本体部１３１ａ，１４１ａの室内側端から内周方向に突設される室内側壁部１３１ｃ，１４１ｃと、左、右竪枠本体部１３１ａ，１４１ａの室外側端から内周方向に突設される室外側壁部１３１ｄ，１４１ｄとを有している。
【００２１】
中央壁部１３１ｂ，１４１ｂは、内周端に、室内外両側に延びるヒレ状の気密片を有している。ヒレ状の気密片は、内障子２０もしくは外障子３０の閉鎖時において、内、外障子２０，３０の戸先框２４，３３に当接して、内、外障子２０，３０の閉鎖時における内障子２０と右竪枠１４との気密、外障子３０と左竪枠１３との気密を行っている。
【００２２】
左竪枠１３は、左竪枠本体部１３１ａの内周側であって中央壁部１３１ｂの室外側に金属材料からなる補強部材１３２を有しており、右竪枠１４は、右竪枠本体部１４１ａの内周面であって中央壁部１４１ｂの室内側に金属材料からなる補強部材１４２を有している。
【００２３】
左竪枠１３の補強部材１３２は、アルミ合金やスチール等の金属材料からなり、中央壁部１３１ｂの室外側面に沿う見付壁と左竪枠本体部１３１ａの内周面に沿う見込壁を有する断面略Ｌ字状の長尺部材であり、左竪枠１３の全長に亘って配置されている。
右竪枠１４の補強部材１４２は、アルミ合金やスチール等の金属材料からなり、中央壁部１４１ｂの室内側面に沿う見付壁と右竪枠本体部１４１ａの内周面に沿う見込壁を有する断面略Ｌ字状の長尺部材であり、右竪枠１４の全長に亘って配置されている。
【００２４】
そして、左竪枠１３の補強部材１３２の見付壁の室外側面に、外障子３０の戸先框３３の戸先端部の室内側面に対向するように熱膨張耐火材ｆが配置されており、右竪枠１４の補強部材１４２の見付壁の室内側面に、内障子２０の戸先框２４の戸先端部の室外側面に対向するように熱膨張耐火材ｆが配置されている。
【００２５】
左、右竪枠１３，１４に配置された補強部材１３２，１４２は、それぞれ左、右竪枠１３，１４を固定する固定手段ｂ，ｂによって、左、右竪枠本体部１３１ａ，１４１ａとともに建物開口部に固定されている。
【００２６】
本実施形態のサッシの枠体１０を建物開口部に固定するに際しては、例えば、左竪枠１３→下枠１２→右竪枠１４→上枠１１の順番で建物開口部の四周に配置、固定することで、枠体１０を建物開口部の四周に対して配置することができる。
このとき、建物開口部の四隅において、横枠（上枠１１，下枠１２）の少なくとも上内レール１１２ｂ、上外レール１１２ｃ及び下内レール１２２ｂ、下外レール１２２ｃの一部、もしくは、竪枠（左竪枠１３，右竪枠１４）の中央壁部１３１ｂ，１４１ｂの一部を切欠くこと等によって、上枠１１，下枠１２及び左、右竪枠１３，１４同士が取付けに際して干渉することを防止することができる。
【００２７】
（内障子の構成）
内障子２０の上框２１は、図４に示すように、樹脂材料からなる上框本体２１１と、アルミ合金等の金属材料からなる補強芯材２１２を有している。
【００２８】
上框本体２１１は、パネル体２５を保持するためのガラス間口２１１ａと、ガラス間口２１１ａの外周側に形成され上内レール１１２ｂに案内される開口部２１１ｂを有し、開口部２１１ｂを構成する室内、外側壁の上端には上内レール１１２ｂに当接もしくは近接する気密片が設けられている。
【００２９】
内障子２０の上框２１は、ガラス間口２１１ａ内にスチール等の金属材料からなる補強部材２１３が配置されており、パネル体２５が、補強部材２１３及び難燃性のグレイジングチャンネル２１９を介してガラス間口２１１ａに保持されている。また、開口部２１１ｂ内に補強芯材２１２が配置されている。
開口部２１１ｂに配置された補強芯材２１２とガラス間口２１１ａに配置された補強部材２１３とは、開口部２１１ｂの底壁を間に挟んで連結手段により連結されている。
【００３０】
ガラス間口２１１ａ内に配置される補強部材２１３は、パネル体２５の端面に対向する底壁と、パネル体２５の縁部の室内外側面に対向する室内外壁を有する断面略Ｕ字状をしており、室内外壁の内側面には、熱膨張耐火材が取り付けられている。
【００３１】
開口部２１１ｂ内に配置される補強芯材２１２は、開口部２１１ｂの底部に沿って配置される底壁部２１２ａと、底壁部２１２ａの室内側端部に連続して開口部２１１ｂの室内壁に沿って延びる室内壁部２１２ｂと、底壁部２１２ａの室外側端部に連続して開口部２１１ｂの室外壁に沿って延びる室外壁部２１２ｃを有している。
【００３２】
補強芯材２１２の底壁部２１２ａの上面及び下面にそれぞれ熱膨張耐火材が配置されており、室内壁部２１２ｂ及び室外壁部２１２ｃの上端近傍の内側面に熱膨張耐火材ｆ，ｆが配置されている。
【００３３】
内障子２０の下框２２は、図４に示すように、樹脂材料からなる下框本体２２１と、アルミ合金等の金属材料からなり下框本体２２１に内装される第１補強芯材２２２及び第２補強芯材２２３を有している。
【００３４】
下框本体２２１は、内周側のガラス間口２２１ａと、ガラス間口２２１ａの外周に配置される中空部２２１ｂと、外周側の開口部２２１ｃとを有している。
【００３５】
第１補強芯材２２２は、断面略矩形の中空形状をなしており、下框本体２２１の中空部２２１ｂ内に配置されている。第２補強芯材２２３は、矩形中空部と下方に開口する開口部を備える断面形状をなしており、下框本体２２１の開口部２２１ｃの開口内に配置されている。
【００３６】
第１補強芯材２２２の中空部内には、スチール等からなる断面略Ｕ字状の第１補強部材２２４が外周方向に開口するように配置され、第２補強芯材２２３の中空部内及び開口部内には、断面略Ｕ字状の第２補強部材２２５及び第３補強部材２２６がそれぞれ室内方向に開口するように配置されている。
【００３７】
ガラス間口２２１ａ内には、スチール等の金属材料からなり、パネル体２５の端面に対向する底壁と、パネル体２５の縁部の室内外側面に対向する室内外壁を有する断面略Ｕ字状の第４補強部材２２７が配置されており、パネル体２５が、第４補強部材２２７及び難燃性のグレイジングチャンネル２２９を介してガラス間口２２１ａに保持されている。
第４補強部材２２７と第１補強芯材２２２及び第１補強部材２２４は、ガラス間口２２１ａの底壁を挟んで連結手段を介して連結されている。
【００３８】
また、第１補強芯材２２２と第２補強芯材２２３及び第２補強部材２２５は、下框本体２２１の中空部２２１ｂの底壁を挟んで連結手段により連結されており、第２補強部材２２５と第３補強部材２２６は、第２補強芯材２２３の中間壁を間に挟んで連結手段により連結されている。
下框本体２２１の開口部２２１ｃの所定位置、具体的には見付方向の両端近傍位置には、下内レール１２２ｂ上を走行する戸車９２が配置され、内障子２０は、下内レール１２２ｂ上を走行自在に配置されている。
【００３９】
内障子２０の右竪框（戸先框）２４は、図５に示すように、樹脂材料からなり、断面略矩形の中空部を有する右竪框本体部２４１ｂと、右竪框本体部２４１ｂの内周側に形成されパネル体２５を保持するためのガラス間口２４１ａを有している。
なお、本実施形態の右竪框２４は、アルミ合金等の押出形材の表面を合成樹脂等の断熱材料によってコーティングして形成してもよい。
【００４０】
右竪框本体部２４１ｂの中空部内には、スチール等の金属材料からなり、見込壁と室内側見付壁と室外側見付壁を有する断面略Ｕ字状の第１補強部材２４２が外周側に向けて開口するように配置されている。
第１補強部材２４２の見込壁の外周側面（内側面）と室内側見付壁の室外側面（内側面）と室外側見付壁の室内側面（内側面）には、それぞれ熱膨張耐火材ｆが配置されている。
また、第１補強部材２４２の見込壁の内周面（外側面）と右縦框本体２４１との間に、熱膨張耐火材ｆが配置されている。
【００４１】
ガラス間口２４１ａ内には、スチール等の金属材料からなりパネル体２５の端面に対向する底壁と、パネル体２５の縁部の室内外側面に対向する室内外壁を有する断面略Ｕ字状の第２補強部材２４３が配置されており、パネル体２５が、第２補強部材２４３及び難燃性のグレイジングチャンネル２４９を介してガラス間口２４１ａに保持されている。
【００４２】
第１補強部材２４２と第２補強部材２４３とは、右竪框本体部２４１ｂの内周側の壁部を挟んで連結手段により連結されている。
なお、右竪框本体部２４１ｂの中空部内に配置される第１補強部材２４２は、略Ｕ字状の断面形状に限らず、例えば、断面略矩形のホロー構造等でもよい。
【００４３】
内障子２０の左竪框（召合框）２３は、樹脂材料からなり、図５に示すように、中空部を有する左竪框本体部２３１ｂと左竪框本体部２３１ｂの室外側内周に形成されるガラス間口２３１ａを有しており、外周側面が室外側に延びて外障子３０の召合框３４に当接もしくは近接する気密片２３１ｃが形成されている。
また、左竪框２３の外周面には防火クレセント錠６１が取り付けられている。
【００４４】
左竪框本体部２３１ｂの中空部内には、スチール等の金属材料からなりガラス間口２３１ａの底壁に沿う内周側の見込面部と左竪框本体部２３１ｂの室外側面に沿う見付面部と外周側の見込面部と内周側の見込み面の室内側が外周側に屈曲して形成される固定壁を有する第１補強部材２３２と、第１補強部材２３２の固定壁に固定される第２補強部材２３３及び断面略L字形の第４補強部材２３５が配置されている。
【００４５】
一方、ガラス間口２３１ａ内には、パネル体２５の端面に対向する底壁と、パネル体２５の縁部の室内外側面に対向する室内外壁を有する断面略Ｕ字状の第３補強部材２３４が内周側に向けて開口するように配置されており、第３補強部材２３４の室内外壁には熱膨張耐火材ｆが配置されている。そして、パネル体２５が、第３補強部材２３４及び難燃性のグレイジングチャンネル２３９を介してガラス間口２３１ａに保持されている。
【００４６】
第１補強部材２３２と第３補強部材２３４は、左竪框本体部２３１ｂの内周側の壁及び熱膨張耐火材ｆを間に挟んで連結手段により連結されている。また、第１補強部材２３２と第２補強部材２３３及び第４補強部材２３５の適宜部位に熱膨張耐火材ｆが配置されている。
なお、内障子２０に使用されるパネル体２５は、耐火性、耐熱性を有するガラス、例えば、結晶化ガラスにより形成されている。
【００４７】
（外障子の構成）
以下に、外障子３０について説明するが、外障子３０と内障子２０とは、上下枠および戸先框について基本的にその構成を同じくするものであるから、ここでは、特に外障子３０の召合框３４について説明し、内障子２０の構成と同様の構成については、その説明を省略する。
【００４８】
外障子３０の右竪框（召合框）３４は、樹脂材料からなり、図５に示すように、中空部を有する右竪框本体部３４１ｂと右竪框本体部３４１ｂの内周側に形成されるガラス間口３４１ａを有しており、外周側面が室内側に延びて内障子２０の召合框２３に当接もしくは近接する気密片３４１ｃが形成されている。
また、右竪框（召合框）３４の室内側面に防火クレセント受け６２が設けられている。
【００４９】
右竪框（召合框）３４の右竪框本体部３４１ｂの中空部内には、スチール等の金属材料からなりガラス間口３４１ａの底壁に沿う見込面部と右竪框本体部３４１ｂの室内側面に沿う見付面部と外周側の見込面部を有する第１補強部材３４２が配置されている。
【００５０】
ガラス間口３４１ａ内には、パネル体２５の端面に対向する底壁と、パネル体２５の縁部の室内外側面に対向する室内外壁を有する断面略Ｕ字状の第２補強部材３４３が内周側に向けて開口するように配置されており、第２補強部材３４３の室内外壁には熱膨張耐火材が配置されている。そして、パネル体３５が、第２補強部材３４３及び難燃性のグレイジングチャンネル３４９を介してガラス間口３４１ａに保持されている。
【００５１】
第１補強部材３４２と第２補強部材３４３は、右竪框本体部３４１ｂの内周側の壁及び熱膨張耐火材を間に挟んで連結手段により連結されている。また、第１補強部材３４２の見付面部の室外側面（内側面）には、火災時の加熱により膨張する熱膨張耐火材ｆが配置されている。
【００５２】
本実施形態の建具の下枠と下框の間の防火構造について、さらに詳細に説明する。
図６に示すように、枠体１０を構成する下枠１２は、樹脂材料からなる下枠本体１２１の内周に金属材料からなる下レール部材１２２が配置されて形成されており、内障子２０は、下レール部材１２２の下内レール１２２ｂ上を移動自在に載置されている。
【００５３】
一方、内障子２０の下框２２は、樹脂材料によりなる下框本体２２１に金属材料からなる複数の補強材が内装されて形成されている。
下框本体２２１は、室内側内周に中空壁からなる内ガラス間口壁２２１ｄを有し、室外側内周に中空壁からなる外ガラス間口壁２２１ｅを有しており、両ガラス間口壁２２１ｄ，２２１ｅによって、ガラス間口２２１ａが形成されている。
【００５４】
ガラス間口２２１ａには底壁と室内外側壁を有する断面略Ｕ字状の第４補強部材２２７が長手方向にわたって配置されており、第４補強部材２２７の内周には、難燃性のグレイジングチャンネル２２９が配置されている。第４補強部材２２７の底壁の上面には熱膨張耐火材ｆが設けられている。
【００５５】
下框本体２２１は、ガラス間口２２１ａの外周側に中空部２２１ｂを有しており、中空部２２１ｂ内には、中空形状を有する第１補強芯材２２２が長手方向にわたって配置され、第１補強芯材２２２の中空部内には第１補強部材２２４が配置されている。
【００５６】
また、下框本体２２１は、中空部２２１ｂのさらに外周側に、室内側から下方に延びる室内側壁部２２１ｆを有し、室外側から下方に延びる室外側壁部２２１ｇを有しており、室内側壁部２２１ｆと室外側壁部２２１ｇとによって、開口部２２１ｃが形成されている。
【００５７】
下框本体２２１は、開口部２２１ｃ内であって、両端近傍に配置された戸車９２間に第２補強芯材２２３が長手方向にわたって配置されている。第２補強芯材２２３は、中空部２２３ａと、中空部２２３ａの室内側から下方に延びる室内側壁部２２３ｂと、中空部２２３ａの室外側から下方に延びる室外側壁部２２３ｃを有し、室内側壁部２２３ｂと室外側壁部２２３ｃとによって下方開口部２２３ｄが形成されている。
【００５８】
なお、第２補強芯材２２３は、両端部近傍の中空部２２３ａの底壁が切り欠かれており、切り欠き部分に戸車９２が配置されている。
【００５９】
第２補強芯材２２３の中空部２２３ａには第２補強部材２２５が配置され、下方開口部２２３ｄには第３補強部材２２６が配置されており、第２補強部材２２５と第３補強部材２２６は連結手段によって連結されている。
【００６０】
第２補強芯材２２３の下方開口部２２３ｄに配置された第３補強部材２２６は、上方の見込壁２２６ａと、下方の見込壁２２６ｂと、上下の見込壁２２６ａ，２２６ｂを連絡する室外側見付壁２２６ｃを有する断面略Ｕ字状をなしており、下框２２の両端近傍に設けられた戸車９２間に配置されている。
そして、第３補強部材２２６は、下方の見込壁２２６ｂの上面と室外側見付壁２２６ｃの室内側面に熱膨張耐火材ｆ１，ｆ１が配置されている。
【００６１】
第３補強部材２２６は、下方の見込壁２２６ｂが上方の見込壁２２６ａよりも見込幅寸法が小さく形成されており、下方の見込壁２２６ｂの室内側端と第２補強芯材２２３の内側面との間に隙間ｓが形成されている。
【００６２】
そして、第３補強部材２２６は、第３補強部材２２６の下面が第２補強芯材２２３の室内側壁部２２３ｂと室外側壁部２２３ｃの下端よりも上方位置となるように配置され、下方の見込壁２２６ｂの下面が下内レール１２２ｂと対向するように第２補強芯材２２３の下方開口部２２３ｄに配置されている。
そのため、下框２２の下端には、第２補強芯材２２３の室内側壁部２２３ｂ及び室外側壁部２２３ｃと、第３補強部材２２６の下方の見込壁２２６ｂによって下内レール１２２ｂを囲む凹部が形成されている。
【００６３】
そして、火災時には、図７に示すように、第３補強部材２２６の下方の見込壁２２６ｂの上面と室外側見付壁２２６ｃの室内側面に配置された熱膨張耐火材ｆ１，ｆ１が、例えば領域Ｓ１のように膨張して、下方の見込壁２２６ｂの室内側端と第２補強芯材２２３の内側面との間に形成された隙間ｓから下框２２の下端の凹部に浸入して、下框２２と下内レール１２２ｂとの隙間を閉塞する。
【００６４】
以上のように、第１の実施形態の建具は、下框の戸車間に、上方の見込壁と下方の見込壁と上下の見込壁を連絡する見付壁を有する断面略Ｕ字状の補強部材を、下方の見込壁が下レールに対向するように配置しているので、火災時に合成樹脂製の戸車が溶融した場合であっても、補強部材の下方の見込壁が下レールに載置されて障子が脱落することを防止することができる。
【００６５】
また、補強部材の下方の見込壁を上方の見込壁よりも寸法を短く形成するとともに、補強部の断面略Ｕ字状の内側に熱膨張耐火材ｆ１を配置することによって、火災時に熱によって膨張した熱膨張耐火材を下方の見込壁と下框の内周面との間の隙間ｓからあふれさせて、下框と下レールとの間隙を熱膨張耐火材で塞ぐことができ、室内外の連通を抑制することができる。
【００６６】
そして、通常時には、下框に設けられた熱膨張耐火材は、下框に配置される断面略Ｕ字状の補強部材の内周側に納められ、下框の下面に露出しないので、外気や紫外線等による熱膨張耐火材の劣化を抑制することができ、外れを防ぐことができる。
【００６７】
−他の実施形態−
他の実施形態の建具の下枠と下框の間の防火構造について、説明する。
なお、上記第１の実施形態の建具と同様の構成については、その説明を一部省略する。
【００６８】
他の実施形態の建具は、図８に示すように、熱膨張耐火材がｆ２，ｆ３が、下框２２の第２補強芯材２２３（３２３）の下端内側面に設けられている。
なお、説明のため、図８における内障子２０の下框２２は、第３の補強部材２２６が存在しない領域（図１０におけるｘ−ｘ断面）を示し、図８における外障子３０の下框３２は、第３の補強部材３２６が存在する領域（図１０におけるｙ−ｙ断面）示しており、戸車９２は省略している。
【００６９】
そして、火災時には、図９に示すように、第２補強芯材２２３（３２３）の下端内側面に配置された熱膨張耐火材ｆ２，ｆ３が、例えば領域Ｓ２，Ｓ３のように膨張して、下框２２，３２と下内レール１２２ｂ、下外レール１２２ｃとの隙間を閉塞することができる。
【００７０】
このとき、第３の補強部材２２６（３２６）が存在しない領域に配置された熱膨張耐火材ｆ２，ｆ２は、図１０（ｂ）に示すように、膨張領域Ｓ２が戸車９２の下方を包み込むように広がって熱により溶融した戸車９２を受け止める。
【００７１】
また、第３の補強部材２２６（３２６）が存在する領域に配置された熱膨張耐火材ｆ３、ｆ３は、図１０（ｂ）に示すように、膨張が第３の補強部材２２６（３２６）によって規制され、膨張領域Ｓ３において密に充満する。
【００７２】
以上のように、他の実施形態の建具は、下框の戸車間に、下方の見込壁が下レールに対向するように補強部材が配置され、補強部材の下方位置に下框の長手方向全長にわたって熱膨張耐火材が配置されているので、補強部材が配置された領域では、火災時に熱膨張耐火材の膨張が補強部材の下方の見込壁によって規制され、熱膨張耐火材は、下框と下枠との間で密に充満して、下框２２，３２と下枠１２との間を確実に閉鎖することができる。
【００７３】
また、補強部材が配置されていない領域では、熱膨張耐火材が熱により溶融した戸車を下方から包み込むように膨張し、溶融した樹脂材料が下框の下方から漏れ出して引火するのを抑制することができる。
すなわち、下框の長手方向にわたって設けた一つの熱膨張耐火材によって、戸車が存在する領域と存在しない領域とで、各領域に適した異なる密度の膨張領域を形成することができ、防火性能を高めることができる。
【００７４】
なお、本実施形態は、室外側に既設のサッシが配置された建物開口部の室内側に配置される内窓として説明されているが、単独で建物開口部に配置されるサッシに対して採用することもできる。
【００７５】
さらに、本発明において、内障子及び外障子の構成は、上記実施形態に限定されるものではなく、本発明の要旨を変更しない範囲において、如何なる障子も用いることができる。
また、障子の框材を補強する補強部材や補強芯材の断面形状は、実施形態に示す断面形状に限定されるものではなく、補強部材や補強芯材に配置される熱膨張耐火材の位置も限定されるものではない。
【００７６】
なお、以上の実施形態は，請求項に記載された発明を限定するものではなく，例示として取り扱われることは言うまでもない。
【符号の説明】
【００７７】
１０      ：枠体
１１      ：上枠
１２      ：下枠
１２２    ：下レール部材
１２２ｂ  ：下内レール
１２２ｃ  ：下外レール
１３      ：左竪枠
１４      ：右竪枠
２０      ：内障子
２１      ：上框
２２      ：下框
９２      ：戸車
２２１    ：下框本体
２２１ａ  ：ガラス間口
２２１ｂ  ：中空部
２２１ｃ  ：開口部
２２１ｄ  ：内ガラス間口壁
２２１ｅ  ：外ガラス間口壁
２２１ｆ  ：室内側壁部
２２１ｇ  ：室外側壁部
２２２    ：第１補強芯材
２２３    ：第２補強芯材
２２４    ：第１補強部材
２２５    ：第２補強部材
２２６    ：第３補強部材
２２６ａ  ：上方の見込壁
２２６ｂ  ：下方の見込壁
２２６ｃ  ：室外側見付壁
Ｓ１―Ｓ３：膨張領域
ｆ１−ｆ３：熱膨張耐火材
【図１】
2020125593.tif 000003
【図２】
2020125593.tif 000004
【図３】
2020125593.tif 000005
【図４】
2020125593.tif 000006
【図５】
2020125593.tif 000007
【図６】
2020125593.tif 000008
【図７】
2020125593.tif 000009
【図８】
2020125593.tif 000010
【図９】
2020125593.tif 000011
【図１０】
2020125593.tif 000012